(57)【要約】      （修正有）【課題】風・雪・霜が作物に直接当たらないように防止し、降雪した雪が滑り落ちて屋根の上に積もらず、必要な太陽光や通気を確保することができ、作物を覆うように置いて固定することができる農具を提供する。【解決手段】風雪害・霜害・鳥獣害防止具１０は、屋根１１の頂角Ａを３０°〜６０°の三角屋根形状に形成し、屋根面に複数の空気孔１２を設け、かつ下端部に杭部１３を形成したものである。【選択図】図１
0003165828.tif 000002
【実用新案登録請求の範囲】
【請求項１】
野菜・果実等の作物を雪や鳥獣の害から守るために、畑の作物の上部を覆うための農具であって、
頂角３０°〜６０°の三角屋根形状に形成し、屋根面に空気孔を設け、かつ下端部に杭部を形成したことを特徴とする、風雪害・霜害・鳥獣害防止具。
【請求項２】
前記空気孔は、複数の円形状、又は、複数の方形状、三角形状、スリット状又はこれらの軽量を組み合わせた形状に形成したことを特徴とする、請求項１に記載の風雪害・霜害・鳥獣害防止具。
【請求項３】
前記屋三角屋根形状の屋根面の両側部の頂角部に補強壁を設けたことを特徴とする、請求項１又は２に記載の風雪害・霜害・鳥獣害防止具。
【考案の詳細な説明】
【技術分野】
【０００１】  本考案は、菜園や畑において、野菜・果実等の作物を雪や鳥獣の害から守るために、作物の上部を覆うための農具に関するものである。
【背景技術】
【０００２】  従来、雪や霜の害を防ぐためにビニールハウスが用いられ、害鳥や虫に対しては防鳥防虫ネットが用いられていたが、畑の作物の上に被せるようにして置く風雪害・霜害・鳥獣害防止具はなく、このような農具が求められていた。
【考案の開示】
【考案が解決しようとする課題】
【０００３】  本考案は、上述のような要求に鑑みてなされたもので、畑の作物の上に被せるようにして置く風雪害・霜害・鳥獣害防止具を提供することを目的とする。
【課題を解決するための手段】
【０００４】  上記課題を解決するために、本考案の請求項１の風雪害・霜害・鳥獣害防止具は、野菜・果実等の作物を雪や鳥獣の害から守るために、畑の作物の上部を覆うための農具であって、頂角３０°〜６０°の三角屋根形状に形成し、屋根面に空気孔を設け、かつ下端部に杭部を形成したことを特徴とする。
本考案は、上記のように構成したことにより、風・雪・霜が作物に直接当たらないように防止する。また、頂角３０°〜６０°の三角屋根形状に形成したことにより、降雪した雪が滑り落ちて屋根の上に積もらない。また、屋根面に空気孔を設けたことにより、必要な太陽光や通気を確保することができる。また、下端部に杭部を設けたことにより、杭部を土に差し込んで、本農具を作物を覆うように置いて固定することができるという作用効果を奏する。【０００５】  また、請求項２の風雪害・霜害・鳥獣害防止具は、請求項１に記載の風雪害・霜害・鳥獣害防止具において、空気孔が複数の円形状、又は、複数の方形状、三角形状、スリット状又はこれらの形状を組み合わせた形状に形成されたものであることを特徴とする。
本考案は、上記のように構成したことにより、空気孔を害鳥・害獣に応じて適切な形状に形成することができるという作用効果を奏する。【０００６】  また、請求項３の風雪害・霜害・鳥獣害防止具は、請求項１又は２に記載の風雪害・霜害・鳥獣害防止具において、三角屋根形状の屋根面の両側部の頂角部に補強壁を設けたものであることを特徴とする。
本考案は、屋根面の両側部の頂角部に補強壁を設けたことにより、屋根面の頂角を３０°〜６０°の一定角度に維持し、本農具全体の形状と強度を安定に維持することができるという作用効果を奏する。
【考案の効果】
【０００７】  本考案によれは、風・雪・霜が作物に直接当たらないように防止する。また、頂角３０°〜６０°の三角屋根形状に形成したことにより、降雪した雪が滑り落ちて屋根の上に積もらない。また、屋根面に空気孔を設けたことにより、必要な太陽光や通気を確保することができる。また、下端部に杭部を設けたことにより、杭部を土に差し込んで、本農具を作物を覆うように置いて固定することができる。
また、空気孔を害鳥・害獣に応じて適切な形状に形成することができる。
また、屋根面の両側部の頂角部に補強壁を設けたことにより、屋根面の頂角を一定角度に維持し、本農具全体の形状と強度を安定に維持することができる。
【考案を実施するための最良の形態】
【０００８】  本考案の実施の形態を、図を用いて説明する。図１は、本考案の農具（風雪害・霜害・鳥獣害防止具）の構造を示す斜視図である。
図１に示すとおり、本考案の農具（風雪害・霜害・鳥獣害防止具）１０の基本的な構造は、屋根１１の頂角Ａを３０°〜６０°の三角屋根形状に形成し、屋根面に複数の空気孔１２を設け、かつ下端部に杭部１３を形成したものである。【０００９】  本考案の農具（風雪害・霜害・鳥獣害防止具）１０の代表的な実施例は、材質としてプラスチック樹脂成形品を用い、高さ約３０ｃｍ、長さ約４０ｃｍ、横幅約２０ｃｍ、杭部の高さ約１０ｃｍのものであるが、これに限定されるものではない。
屋根１１の頂角Ａは、降雪時に屋根に積もらないように、角度を３０°〜６０°の三角屋根形状に形成している。
空気孔１２は、図１では方形状のものを、図２では円形状のものを示しているが、これに限定されるものではなく、複数の円形状、又は、複数の方形状、三角形状、スリット状又はこれらの形状を組み合わせた形状に形成されたものであればよい。
補強壁１４は、三角屋根形状の屋根面の両側部の上部に設けたものである。補強壁１４を屋根面の両側部の上部に設けたことにより、屋根面の頂角を３０°〜６０°の一定角度に維持し、本農具全体の形状と強度を安定に維持するとともに、補強壁１４自体が作物２１に当たらないようにしている。【００１０】  本考案の農具を使用するときは、図３に示すように、畑の作物の上から覆うように本考案の農具１０を置き、杭部を土に差し込んで固定する。作物の数に応じて、本考案の農具１０を複数並べて置いて使用する。【００１１】  本考案の農具は、構造が簡単で安価に大量生産することができ、畑の作物の上から簡単に設置することができ、農家や家庭菜園における風雪害・霜害・鳥獣害防止のための農具として最適のものである。【００１２】
【図面の簡単な説明】
【００１５】
【図１】本考案の農具（風雪害・霜害・鳥獣害防止具）の構造を示す斜視図である。
【図２】空気孔が円形状である、本考案の農具の斜視図である。
【図３】本考案の農具の設置状態を示す斜視図である。
【符号の説明】
【００１６】１０  本考案の農具（風雪害・霜害・鳥獣害防止具）
１１  屋根
Ａ    頂角
１２  空気孔
１３  杭部
１４  補強壁
２０  畑
２１  作物
【図１】
0003165828.tif 000003
【図２】
0003165828.tif 000004
【図３】
0003165828.tif 000005
【手続補正書】
【提出日】平成22年11月9日(2010.11.9)
【手続補正１】
【補正対象書類名】実用新案登録請求の範囲
【補正対象項目名】全文
【補正方法】変更
【補正の内容】
【実用新案登録請求の範囲】
【請求項１】
野菜・果実等の作物を雪や鳥獣の害から守るために、畑の作物の上部を覆うための農具であって、頂角３０°〜６０°の三角屋根形状に形成し、屋根面に空気孔を設け、かつ下端部に杭部を形成したことを特徴とする、風雪害・霜害・鳥獣害防止具。
【請求項２】
前記空気孔は、複数の円形状、又は、複数の方形状、三角形状、スリット状又はこれらの形状を組み合わせた形状に形成したことを特徴とする、請求項１に記載の風雪害・霜害・鳥獣害防止具。
【請求項３】
前記三角屋根形状の屋根面の両側部の頂角部に補強壁を設けたことを特徴とする、請求項１又は２に記載の風雪害・霜害・鳥獣害防止具。